(57)【要約】【課題】看護婦がナースセンタに居るとは限らないので、ナースコール親機の呼出音を大きくする必要があり、患者の睡眠を妨げていた。 【解決手段】個人別廊下灯からも呼出音をだすことにより、ナースコール親機から出る呼出音を小さくする。かつ、個人別廊下灯から出す呼出音は、ナースコール親機が呼出を受けたあと、規定時間が経過するまでは、個人別廊下灯からの呼出音が出ないようにすることにより、呼出音の発生時間を制限し、患者の睡眠を妨害しないようにする。【選択図】図２
2006074140.tif 000002
【特許請求の範囲】
【請求項１】
ナースコール子機の呼出操作に連動して、個人別廊下灯（Ｉ／Ｏユニットを含む、以下同じ）の代表灯を点灯または点滅させるとともに、ナースコール親機で前記ナースコール子機に関する情報を表示しながら呼出音を鳴らして呼出状態を報知するナースコール装置において、前記個人別廊下灯にスピーカを設け、前記個人別廊下灯および前記ナースコール親機の呼出開始時点から計時を開始するタイマーにより、呼出経過時間を計時するとともに、計時時間が規定時間を経過したら、前記代表灯の点灯または点滅を継続しながら、前記スピーカから呼出音を出すようにしたことを特徴とするナースコール装置。
【請求項２】
前記タイマーを前記個人別廊下灯に内蔵し、これを前記代表灯の点灯状態を制御する代表灯制御回路の出力で作動させるようにしたことを特徴とする請求項１記載のナースコール装置
【請求項３】
前記タイマーを前記ナースコール親機に内蔵し、前記ナースコール親機が呼出状態になってから規定時間経過後、個人別廊下灯に対し、これを識別する識別信号と呼出音発生信号を送信し、指定された個人別廊下灯のスピーカから呼出音を出すようにしたことを特徴とする請求項１記載のナースコール装置
【請求項４】
前記識別信号は、個人別廊下灯を一括指定できる一括指定信号を含むことを特徴とする請求項３記載のナースコール装置
【請求項５】
前記識別信号は、呼出した病室の個人別廊下灯に加えて、隣接する病室の個人別廊下灯を隣接範囲として複数指定できる範囲指定信号を含むことを特徴とする請求項３記載のナースコール装置
【発明の詳細な説明】
【技術分野】
【０００１】
本発明は、ナースコール装置に係り、特に、病室のナースコール子機から呼び出されると、ナースコール親機から呼出音が鳴るとともに、呼出開始から一定時間が経過すると、病室の出入口に設置される個人別廊下灯からも呼出音が鳴るようにしたナースコール装置に関する。
【背景技術】
【０００２】
本出願人は、ナースセンタに看護婦が居ない場合でも、病室や廊下に居る看護婦が患者からの呼出しがわかるように、患者別廊下灯から呼出音用の電子音または音声合成音を出すことのできるナースコールシステムを提供した。（特許文献１）。
【０００３】
【特許文献１】・・・・特開２００３−１２６１８３号公報
【発明の開示】
【発明が解決しようとする課題】
【０００４】
特許文献１記載の発明によれば、患者の睡眠を妨げることのないようにナースコール親機１の呼び出し音を小さくすることができる。しかし、患者別廊下灯から出る呼出音は、呼出音量は小さくても、静かな環境を必要とする患者にとっては、必ずしも好ましいものとは言えない。
【課題を解決するための手段】
【０００５】
本発明においては、ナースコール親機がナースコール子機から呼び出されると、即時に呼出音が鳴り始める点は従来のナースコール装置と同じであるが、規定時間、すなわち、一般には、看護師等がナースコール親機から出る呼出音に気付いてから応答するまでの応答待ち時間を基に定められた時間が経過するのを待って、ナースコール親機だけでなく、個人別廊下灯からも呼出音を鳴動させるようにするものである。
なお、前述の規定時間は、応答待ち時間の実績を考慮し、平均ではなく遅い方の応答時間を基準に設定するのが実際的である。
【発明の効果】
【０００６】
本発明によれば、このように、ナースコール親機が呼出を受けた場合、最初は、ナースコール親機だけから呼出音を発生させ、個人別廊下灯からは呼出音を発生させない。
【０００７】
通常は、ナースコール親機で呼出音が鳴れば、親機の近くにいる看護師等が呼出音に即座に気付いて応答通話するため、呼出音の鳴っている時間は短時間にとどまり、前述した、規定時間を超えないため、個人別廊下灯から不必要に呼出音が鳴ることはない。
【０００８】
看護師等がたまたま、ナースコール親機が設置されたナースセンターから離れていて、ナースコール親機からの呼出音に気付かないまま時間が経過した場合は、前述した規定時間の経過を待って、個人別廊下灯から呼出音が鳴り始める。病室や廊下に看護師等が居れば、個人別廊下灯から出る呼出音に気付くので、そのまま、呼出した患者のベッドへ直行し対処できる。
【０００９】
本発明によれば、個人別廊下灯から呼出音を鳴らすため、専用の呼出報知機器を必要とせず、また、個人別廊下灯は病棟内において一定の間隔で多数配置されているため、小さな呼出報知音で病棟全体をくまなくカバーすることができる。
【００１０】
なお、呼出音を発生させる個人別廊下灯は、呼出のあった特定の病室の個人別廊下灯に限定することもできるし、特定の病室を含む近隣範囲の個人別廊下灯に限定することもできる。また、すべての廊下灯を対象にすることもできる。
【００１１】
さらに、すべての個人別廊下灯から呼出音を出す場合、同時一斉でもよいし、廊下灯単位で切替ながら次々に鳴らすこともできる。どの方法を適用するかは、病棟の構造、患者条件、周囲環境、呼出音量条件により、選択することができる。
【発明を実施するための最良の形態】
【００１２】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【実施例１】
【００１３】
図１は、本発明の１実施例におけるナースコール装置の構成図である。
【００１４】
図において、１はナースセンターに設置されているナースコール親機、２は病室の出入口に設けられている個人別廊下灯、３は病室の各病床ごとに設けられているナースコール子機、４は握り押しボタン、５はハンド形子機、１２は個人別廊下灯２またはＩ／Ｏユニット１１に内蔵されているスピーカ、１９は代表灯である。
【００１５】
６はトイレ等の天井に設けられている天井マイク、７は天井スピーカ、８はトイレボタン、９は代表廊下灯、１０は復旧ボタン、１１はＩ／Ｏユニットである。
【００１６】
次に、各機器の配線について説明する。各病室ごとの複数の個人別廊下灯２はナースコール親機１に接続されている。各病床ごとのナースコール子機３は、個人別廊下灯２に接続されている。また、ナースコール子機３には患者が使用する握り押しボタン４、ハンド形子機５が接続されている。
【００１７】
Ｉ／Ｏユニット１１は、ナースコール親機１に接続されると共に、天井マイク６、天井スピーカ７、トイレ・浴室用押しボタン８、代表廊下灯９、復旧ボタン１０とも接続されている。
【００１８】
握り押しボタン４が押下されると、該当する患者の病室番号や氏名がナースコール親機１の表示画面に表示されるとともに、呼出音が鳴る。
【００１９】
この場合、ナースコール親機１から出る呼出音は、ナースセンタ内で聞こえる程度の音量となっている。ナースセンタ内に看護婦等が居る場合は看護婦が即座に送受話器を取り上げて該当患者と通話を行うことができる。呼出音は最初に送受器を取り上げたとき停止する。
【００２０】
ナースセンター内に看護婦等が不在で誰も応答しなければ、呼出音は鳴り続ける。
【００２１】
呼出音が鳴り続けて規定時間が経過すると、該当する患者の病室のドア近傍に設けられている個人別廊下灯２に内蔵されているスピーカ１２から呼出音が出る。患者は自分の操作による呼出音を聞くことができる。
【００２２】
なお、トイレボタン８が押された場合も、規定時間が経過すると、Ｉ／Ｏユニット１１から呼出音が出る。
【００２３】
個人別廊下灯２やＩ／Ｏユニット１１の近くの病室や廊下に居る看護婦はどの病室あるいはトイレからの呼び出しであるかが容易に判断できるので該当患者の所に直ちに赴くことができる。
【００２４】
図２は、本発明の１実施例において、個人別廊下灯部分を回路ブロック図で示す回路構成図である。
【００２５】
ナースコール子機３の呼出信号は、子機接続部１３を介して制御部１４に送信される。制御部１４は、呼出信号を受信すると、入出力部１５を介して、呼出信号をナースコール親機１に送信する。
【００２６】
ナースコール親機１では、前述したように、呼出した患者の氏名や看護情報が表示されるとともに呼出音が鳴動する。
【００２７】
個人別廊下灯２は、ナースコール親機１との間で、呼出信号を送受信するとともに、個別灯制御部１６を介して、呼出したナースコール子機３に該当する個別灯１７を点灯させる。
【００２８】
同時に、制御部１４から代表灯制御部１８を介して代表灯１９を点滅させる。
【００２９】
図示の例では、代表灯制御部１８には、タイマー２０が接続され、代表灯１９が点灯を開始してから一定時間経過すると、タイマー２０の働きで、呼出音発生回路２１に電源が供給され、スピーカ１２から呼出音が鳴動する。
【実施例２】
【００３０】
図３は第２の実施例を示すもので、個人別廊下灯部分は回路ブロック図で示してある。この実施例では、個人別廊下灯２には、図２に示す実施例とは異なり、代表灯制御部１８には、タイマー２０は接続されていない。
【００３１】
図３の実施例では、タイマー回路２０の機能は、ナースコール親機１側にある。すなわち、親機１では、呼出信号を受信すると内部タイマー（図示せず）が作動し、規定時間が経過すると、呼出状態にある特定の個人別廊下灯２を指定して、呼出音を鳴らすため、個人別廊下灯２の識別信号と呼出音発生信号を送信する。
【００３２】
識別信号で指定された個人別廊下灯２では、入出力部１５を介して呼出音発生信号を受信した制御部１４から呼出音発生回路２１に起動信号が送られ、呼出音がスピーカ１２から出る。この実施例の場合は、個人別廊下灯２から出る呼出音の制御は、ナースコール親機１から送信される呼出音発生信号の受信により行われるため、図２の実施例に示すタイマー２０を必要としない。
【００３３】
なお、本実施例では、ナースコール親機１において、呼出音を鳴らす個人別廊下灯２を任意に指定できるので、呼出したナースコール子機３の個人別廊下灯２に限定して、呼出音を発生させたり、当該個人別廊下灯２及びその近くに設置されている個人別廊下灯２に限定して呼出音を鳴らすようにしたり、あるいは、すべての個人別廊下灯２から呼出音を鳴らすように指定できる。
【００３４】
どのように指定するかは、ナースコール親機１のプログラムでデフォルト値として定めてもよく、あるいは、ナースコール親機１に呼出音を発生させる個人別廊下灯２の指定範囲に対応する複数の操作ボタンを用意し、どの操作ボタンを選択するかで、どの個人別廊下灯２から呼出音を選択できるようにしてもよい。
【００３５】
なお、図２、図３を使い、個人別廊下灯を主体に説明したが、Ｉ／Ｏユニット１１からも同様に呼出音を鳴らすことができるので、本発明は、Ｉ／Ｏユニットにもそのまま適用できる。
【図面の簡単な説明】
【００３６】
【図１】本発明の１実施例におけるナースコール装置の構成図。（実施例１）
【図２】本発明の１実施例を示すナースコール装置の回路ブロック図。（実施例１）
【図３】本発明の１実施例を示すナースコール装置の回路ブロック図。（実施例２）
【符号の説明】
【００３７】
１    ナースコール親機
２    個人別廊下灯
３    ナースコール子機
１１    Ｉ／Ｏユニット
１２    スピーカ
１３    子機接続部
１４    制御部
１５    入出力部
１６    個別灯制御部
１７    個別灯
１８    代表灯制御部
１９    代表灯
２０    タイマー
２１    呼出音発生回路
２２
【図２】
2006074140.tif 000003
【図３】
2006074140.tif 000004
【図１】
2006074140.tif 000005